(57)【特許請求の範囲】
【請求項１】
電線に接続される２つの端子と、
前記２つの端子間の電圧値である第１の電圧値を測定する測定部と、
前記２つの端子に開閉器を介して接続可能に配置された蓄電部と、
他の機器の端子間の電圧値である第２の電圧値を含む信号を受信する通信部と、
前記開閉器を閉じて前記２つの端子と前記蓄電部とを接続した状態でそれぞれ測定された前記第１の電圧値と前記第２の電圧値との比較に基づいて、前記他の機器と自身との間に電線の誤配線があるか否かを判定する制御部と、
を備える、蓄電装置。
【請求項２】
請求項１に記載の蓄電装置であって、
前記通信部は、更に、前記第１の電圧値を含む信号を送信する、蓄電装置。
【請求項３】
請求項１又は２に記載の蓄電装置であって、
前記制御部は、更に、前記開閉器を開いて前記２つの端子と前記蓄電部とを接続していない状態でそれぞれ測定された前記第１の電圧値と前記第２の電圧値との比較に基づいて、前記他の機器と自身との間に前記電線の誤配線があるか否かを判定する、蓄電装置。
【請求項４】
請求項１から３のいずれか一項に記載の蓄電装置であって、
前記通信部は、更に、前記電線の誤配線があるか否かの情報を報知させる指示を含む信号を送信する、蓄電装置。
【請求項５】
電線に接続される２つの端子と、前記２つの端子間の電圧値を測定する測定部と、前記２つの端子に開閉器を介して接続可能に配置された蓄電部とを備える蓄電装置を制御可能な制御装置であって、
第１の蓄電装置の開閉器を閉じて、前記第１の蓄電装置の２つの端子と蓄電部とを接続させ、
前記第１の蓄電装置の端子間の電圧値である第１の電圧値を含む信号と、第２の蓄電装置の端子間の電圧値である第２の電圧値を含む信号を受信し、
前記第１の電圧値と前記第２の電圧値との比較に基づいて、前記第１の蓄電装置と前記第２の蓄電装置との間に電線の誤配線があるか否かを判定する、制御装置。
【請求項６】
電線に接続される２つの端子と、測定部と、前記２つの端子に開閉器を介して接続可能に配置された蓄電部と、通信部とを備える蓄電装置の制御方法であって、
前記開閉器を閉じて前記２つの端子と前記蓄電部とを接続させるステップと、
前記測定部に前記２つの端子間の電圧値である第１の電圧値を測定させるステップと、
前記通信部に他の機器の端子間の電圧値である第２の電圧値を含む信号を受信させるステップと、
前記第１の電圧値と前記第２の電圧値との比較に基づいて、前記他の機器と自身との間に電線の誤配線があるか否かを判定するステップと、
を含む、制御方法。
【発明の詳細な説明】
【関連出願の相互参照】
【０００１】
本出願は、２０１８年３月２８日に日本国に特許出願された特願２０１８−０６２９９３の優先権を主張するものであり、この先の出願の開示全体をここに参照のために取り込む。
【技術分野】
【０００２】
本開示は、蓄電装置、蓄電装置の制御装置、及び蓄電装置の制御方法に関する。【０００３】
従来、蓄電装置を電力系統又は他の蓄電装置等に接続する際の誤配線を防止する技術が知られている。例えば、特許文献１には、異なる形状の正極端子と負極端子とを備えることで誤配線を防止する鉛蓄電池が開示されている。
【先行技術文献】
【特許文献】
【０００４】
【特許文献１】特開２００１−２３６９４２号公報
【発明の概要】
【０００５】
本開示の実施形態に係る蓄電装置は、電線に接続される２つの端子と、測定部と、前記２つの端子に開閉器を介して接続可能に配置された蓄電部と、通信部と、制御部とを備える。測定部は、前記２つの端子間の電圧値である第１の電圧値を測定する。通信部は、他の機器の端子間の電圧値である第２の電圧値を含む信号を受信する。制御部は、前記開閉器を閉じて前記２つの端子と前記蓄電部とを接続した状態でそれぞれ測定された前記第１の電圧値と前記第２の電圧値との比較に基づいて、前記他の機器と自身との間に電線の誤配線があるか否かを判定する。
【０００６】
本開示の実施形態に係る制御装置は、電線に接続される２つの端子と、前記２つの端子間の電圧値を測定する測定部と、前記２つの端子に開閉器を介して接続可能に配置された蓄電部とを備える蓄電装置を制御可能な制御装置である。前記制御装置は、第１の蓄電装置の開閉器を閉じて、前記第１の蓄電装置の２つの端子と蓄電部とを接続させる。前記制御装置は、前記第１の蓄電装置の端子間の電圧値である第１の電圧値を含む信号と、第２の蓄電装置の端子間の電圧値である第２の電圧値を含む信号を受信する。前記制御装置は、前記第１の電圧値と前記第２の電圧値との比較に基づいて、前記第１の蓄電装置と前記第２の蓄電装置との間に電線の誤配線があるか否かを判定する。
【０００７】
本開示の実施形態に係る制御方法は、電線に接続される２つの端子と、測定部と、前記２つの端子に開閉器を介して接続可能に配置された蓄電部と、通信部とを備える蓄電装置の制御方法である。前記制御方法は、前記開閉器を閉じて前記２つの端子と前記蓄電部とを接続させるステップを含む。前記制御方法は、前記測定部に前記２つの端子間の電圧値である第１の電圧値を測定させるステップを含む。前記制御方法は、前記通信部に他の機器の端子間の電圧値である第２の電圧値を含む信号を受信させるステップを含む。前記制御方法は、前記第１の電圧値と前記第２の電圧値との比較に基づいて、前記他の機器と自身との間に電線の誤配線があるか否かを判定するステップを含む。
【図面の簡単な説明】
【０００８】
【図１】本開示の一実施形態に係る蓄電システムの概略構成図である。
【図２】図１に記載の蓄電システムの概略的な回路図の一例である。
【図３】図１に記載の蓄電システムの概略的な回路図の他の例である。
【図４】図２に記載の蓄電装置が実行する処理の例のフローチャートである。
【図５】図１に記載の蓄電システムが実行する処理の例のフローチャートである。
【発明を実施するための形態】
【０００９】
従来、蓄電装置を電力系統又は他の蓄電装置等に接続する際に、蓄電装置の誤配線を防止する技術の更なる有用性の向上が望まれている。本開示は、蓄電装置の誤配線を防止する技術の有用性を向上させる蓄電装置、蓄電装置の制御装置、及び蓄電装置の制御方法を提供する。
【００１０】
（蓄電システムの構成）
図１は、本開示の一実施形態に係る蓄電システム１の一例を示す概略構成図である。蓄電システム１には、パワーコンディショナ１０並びに蓄電装置２０Ａ、２０Ｂ、及び２０Ｃ等の機器が含まれてもよい。図１において、蓄電装置２０Ａ、２０Ｂ、及び２０Ｃは電線４０により並列に接続され、パワーコンディショナ１０を介して電力系統６０と接続される。図１において、電線４０を実線で示す。蓄電システム１は、電力系統６０に接続され、電力系統６０に接続された負荷７０等に電力を供給する。負荷７０は、例えば、照明、エアーコンディショナ、又は情報処理装置等の電力を消費する任意の電気機器が含まれてもよい。また、蓄電システム１は、電力系統６０から供給された電力を蓄電装置２０Ａ、２０Ｂ、及び２０Ｃに蓄積する。以下、蓄電装置２０Ａ、２０Ｂ、及び２０Ｃを特に区別しない場合、単に、蓄電装置２０と総称する。蓄電システム１において、パワーコンディショナ１０及び蓄電装置２０等の蓄電システム１に含まれる機器は、通信線５０により互いに通信可能に接続される。図１において、通信線５０を点線で示す。通信線５０は、例えば、バス型に構成され得る。図１では、一例として、１台のパワーコンディショナ１０と、３台の蓄電装置２０を含む蓄電システム１が図示されているが、蓄電システム１に含まれる機器の構成及び数は任意に定められてもよい。例えば、蓄電システム１に求められる蓄電容量等の要件に応じて、パワーコンディショナ１０及び蓄電装置２０は、増設又は撤去されてもよい。なお、通信線５０は、有線であっても無線であってもよい。
【００１１】
パワーコンディショナ１０は、ＰＣＳ（Power Conditioning System：電力制御装置）ともいう。パワーコンディショナ１０は、例えば、蓄電装置２０から電力系統６０又は負荷７０等への電力の入出力を制御し、或いは蓄電装置２０から出力された直流電力を交流電力に変換して電力系統６０又は負荷７０等に出力する。
【００１２】
蓄電装置２０は、電力系統６０に接続された負荷７０等に電力を供給する。蓄電装置２０は、売電可能な電力等を電力系統６０に供給してもよい。また、蓄電装置２０は、電力系統６０から供給された電力を蓄積する。蓄電装置２０は、パワーコンディショナ１０から受信した制御信号に基づき、電力の供給、蓄積、及び蓄電装置２０に関する情報の提供等の動作をしてもよい。
【００１３】
本開示の一実施形態に係る蓄電システム１において、設置者は、蓄電装置２０と他の機器との電線の配線を行う。その後、例えば設置者によってパワーコンディショナ１０が操作されることにより蓄電システム１の電源が起動されると、蓄電装置２０は、他の機器と自身との間に電線の誤配線があるか否かを判定する。以下、蓄電装置自身のことを自蓄電装置ともいう。蓄電装置２０は、パワーコンディショナ１０等に電線の誤配線があるか否かの情報を表示させる指示を送信する。設置者はパワーコンディショナ１０に表示された情報に基づき、電線の誤配線があるか否かを確認する。
【００１４】
（蓄電装置の構成）
以下に、本開示の一実施形態に係る蓄電装置の一例である蓄電装置２０の概略構成を示す。図１において、蓄電装置２０は、制御部２１、蓄電部２２、端子２３、ブレーカ２４、測定部２５、開閉器２６、通信部２７、記憶部２８、報知部２９、及び入力部３０を備える。
【００１５】
制御部２１は、詳細を後述するように、蓄電装置２０の各機能を実現するための制御及び処理能力を提供する１つ以上のプロセッサである。制御部２１は、制御手順を規定したプログラムを実行するＣＰＵ（Central Processing Unit）等のプロセッサ又は各機能の処理に特化した専用のプロセッサで構成されてもよい。
【００１６】
制御部２１は、蓄電部２２、端子２３、ブレーカ２４、測定部２５、開閉器２６、通信部２７、記憶部２８、報知部２９、及び入力部３０に有線又は無線により接続され、これらの各機能部をはじめとして蓄電装置２０の全体または一部を制御及び管理する。制御部２１は、記憶部２８に記憶されているプログラムを取得して、このプログラムを実行することにより、蓄電装置２０の各機能部に係る種々の機能を実現する。制御部２１が行う本実施形態に特徴的な制御については、さらに後述する。
【００１７】
蓄電部２２は、制御部２１の制御に基づき、電力の充電及び放電を行う。蓄電部２２における電力の充電及び放電は、蓄電部２２を構成するセルの単位で、制御部２１により制御及び管理されてもよい。蓄電部２２は複数のセルを備えていてもよい。また、セルは、複数のセルを接続したモジュール単位で、制御部２１により制御及び管理されてもよい。蓄電部２２は、後述する２つの端子２３に開閉器２６を介して接続可能に配置される。
【００１８】
端子２３は、蓄電装置２０の外部から電線４０等を接続される。本実施形態において、蓄電装置２０は単相二線式にて他の機器と接続されることを想定している。そのため、蓄電装置２０は、電線に接続される２つの端子である正極端子２３Ａ及び負極端子２３Ｂを備えてもよい。蓄電装置２０を含む蓄電装置の結線方式には、例えば、単相二線式、単相三線式、三相三線式、又は三相四線式等様々な方式がある。蓄電装置の結線方式に応じて、端子２３の数も２以上の任意の数とすることができる。
【００１９】
端子２３は、例えば、電線４０を介して、パワーコンディショナ１０、蓄電装置２０Ｂ、及び２０Ｃ等の他の機器が備える端子と接続される。電線４０を介して接続される他の機器は、パワーコンディショナ１０及び蓄電装置２０に限られず、例えば、太陽電池、風力発電装置、水力発電装置及び燃料電池等の電源装置、或いは情報処理装置等を含む、任意の機器であってもよい。
【００２０】
本実施形態において、１つの端子２３には、複数の電線４０が接続されてもよい。例えば、正極端子２３Ａはパワーコンディショナ１０及び蓄電装置２０Ｂのそれぞれが備える正極端子と接続され、負極端子２３Ｂはパワーコンディショナ１０及び蓄電装置２０Ｂのそれぞれが備える負極端子と接続される。これにより、蓄電システム１において、蓄電装置２０Ａは他の蓄電装置２０と並列に接続される。また、１つの端子２３は、複数の電線４０を介して、他の機器の端子と接続されてもよい。例えば、端子２３Ａは、電線４０Ａを介して蓄電装置２０Ｂの正極端子と接続されてもよい。更に、端子２３Ａは、電線４０Ａと、蓄電装置２０Ｂの正極端子に接続された電線４０Ｂとを介して、蓄電装置２０Ｃの正極端子と接続されてもよい。
【００２１】
ブレーカ２４は、蓄電装置２０内部の電力回路と、蓄電装置２０外部の電線４０等に接続される端子２３の間に設けられる。ブレーカ２４は、例えば所定量以上の電流が流れると端子２３から蓄電装置２０内部の電力回路を遮断する。ブレーカ２４は、蓄電装置２０の設置前には開いており、蓄電装置２０の設置後、蓄電装置２０の使用開始の際に設置者の操作に基づき閉じられてもよい。
【００２２】
測定部２５は、端子２３の２つの端子に接続され、端子間の電位差を電圧値として測定する。以下、測定部２５により測定された自蓄電装置２０の端子間の電圧値を第１の電圧値ともいう。本実施形態においては、正極端子２３Ａと負極端子２３Ｂとの端子間の電圧値を測定してもよい。測定部２５は、測定した電圧値を、制御部２１に送信する。測定部２５の数は任意であってもよい。例えば、単相三線式の電力装置等においては、当該電力装置が備える３つの端子間のそれぞれに接続されてもよい。
【００２３】
開閉器２６は、蓄電部２２と端子２３との間の電力回路を開閉する。例えば、開閉器２６は、負極端子２３Ｂと蓄電部２２との間に設けられてもよい。制御部２１の制御に基づき開閉器２６が閉じられると、蓄電部２２と端子２３とが接続される。これにより、蓄電部２２は電力の充電及び放電が可能になり、端子２３に蓄電部２２の電圧が印加される。また、開閉器２６が開かれると、蓄電部２２と端子２３とが切り離される。かかる場合、蓄電部２２は電力の充電及び放電をすることができず、端子２３に蓄電部２２の電圧が印加されない。
【００２４】
通信部２７は、制御部２１の制御に基づき、他の機器と通信を行う。通信部２７は、例えば、ＣＡＮ（Controller Area Network）通信モジュール、有線ＬＡＮ通信モジュール、又は無線ＬＡＮ（Local Area Network）通信モジュール等を備えてもよい。例えば、蓄電装置２０Ａの通信部２７は、パワーコンディショナ１０、蓄電装置２０Ｂ、及び２０Ｃとともに共通の通信線５０に接続されてもよい。これにより、蓄電装置２０Ａは、例えば、制御信号を前述した他の機器から受信し、受信した制御信号に基づき動作することができる。また、蓄電装置２０Ａは、測定部２５により測定された電圧値を含む信号を他の機器に送信することができる。蓄電装置２０をはじめ、通信線５０に接続される機器には、通信を行う際に機器を一意に特定するための識別子（identifier：ＩＤ）が予め付与されていてもよい。
【００２５】
記憶部２８は、例えば半導体メモリ、磁気メモリ、又は光メモリ等を備える。記憶部２８は、例えば主記憶装置又は補助記憶装置として機能してもよい。記憶部２８は、制御部２１に含まれるプロセッサのキャッシュメモリ等であってもよい。また、記憶部２８は、揮発性の記憶装置であってもよく、不揮発性の記憶装置であってもよい。記憶部２８は、蓄電装置２０の各機能を実現するための制御及び処理に用いられる情報及びプログラムを記憶する。記憶部２８は、例えば、後述するように、２つの電圧値の差が所定の閾値の範囲内に収まるか否かの判定に用いられる閾値を記憶する。記憶部２８に記憶された情報及びプログラムの少なくとも一部が、他の機器との間で共有及び同期されてもよい。
【００２６】
報知部２９は、音、振動、ライトの点灯、及び画像等で情報を報知する。報知部２９は、例えばスピーカ、振動子、ライト、及び表示デバイス等の少なくとも１つを含む。表示デバイスは、例えば液晶ディスプレイ又は有機ＥＬディスプレイ等とすることができる。報知部２９は、制御部２１の制御に基づいて、蓄電装置２０のＩＤ、蓄電装置２０に蓄電された電力の残量の情報、測定部２５により測定された電圧値、又は電線の誤配線があるか否かの情報等の少なくとも１つを報知してもよい。
【００２７】
入力部３０は、ユーザからの入力操作を受け付ける。入力部３０は、例えば電源ボタン等の物理キー、報知部２９の表示デバイスと一体的に設けられたタッチパネル等の入力デバイス、及びマウス等のポインティングデバイス等の少なくとも１つを含んでもよい。入力部３０は、ユーザによって操作されると、そのユーザ操作を電子情報として制御部２１に送信する。報知部２９及び入力部３０の少なくとも一方は、例えば、蓄電装置２０から物理的に切り離されたリモコン、タブレット端末、又はパーソナルコンピュータ等に設けられてもよい。
【００２８】
以下に、制御部２１による蓄電装置２０の各機能の制御について説明する。制御部２１は、開閉器２６を閉じて２つの端子２３Ａ及び２３Ｂと蓄電部２２とを接続する。開閉器２６が閉じられると、蓄電部２２は、端子２３を介して外部装置からの電力の充電及び外部装置への放電が可能になる。このとき、蓄電部２２の電圧が端子２３に印加される。また、制御部２１は、開閉器２６を開いて２つの端子２３Ａ及び２３Ｂと蓄電部２２とを切り離す。開閉器２６が開かれると、蓄電部２２は、端子２３を介して電力の充電及び放電をすることができない。このとき、蓄電部２２の電圧は端子２３に印加されない。
【００２９】
制御部２１は、測定部２５により、２つの端子２３Ａ及び２３Ｂ間の電圧値を計測する。制御部２１は、測定部２５を制御して２つの端子２３Ａ及び２３Ｂ間の電圧値を計測してもよい。或いは、制御部２１は、電圧値の計測要求を測定部２５に送信し、電圧値の測定要求に基づき測定部２５が測定した端子２３Ａ及び２３Ｂ間の電圧値を測定部２５から受信してもよい。
【００３０】
制御部２１は、通信部２７から、測定部２５により測定された自蓄電装置２０の端子間の電圧値を含む信号を送信する。制御部２１は、当該信号を任意の方法で送信してもよい。例えば、制御部２１は、送信対象を指定せず、通信線５０に接続された全ての機器に対して信号を送信してもよい。また、制御部２１は、前述のＩＤ等を用いて送信対象を指定して、特定の機器に対して信号を送信してもよい。制御部２１は、信号を送信する際に、測定部２５により、自蓄電装置２０の最新の端子間の電圧値を測定して、その電圧値を含む信号を送信してもよい。
【００３１】
制御部２１は、通信部２７により、他の機器の端子間の電圧値を含む信号を受信する。以下、他の機器の端子間の電圧値を、第２の電圧値ともいう。制御部２１は、他の機器の端子間の電圧値を任意の方法で受信してもよい。例えば、制御部２１は、他の機器が所定の間隔で送信する、他の機器の端子間の電圧値を含む信号を受信してもよい。或いは、制御部２１は、通信部２７により、他の機器の端子間の電圧値の送信要求を他の機器に送信し、電圧値の送信要求に基づき他の機器が測定した他の機器の端子間の電圧値を含む信号を他の機器から受信してもよい。更に、制御部２１は、他の機器の端子間の電圧値を含む信号を、他の機器から直接受信してもよく、第３の機器から間接的に受信してもよい。例えば、他の機器が蓄電装置２０Ｂであった場合、蓄電装置２０Ａの制御部２１は蓄電装置２０Ｂから蓄電装置２０Ｂの端子間の電圧値を直接取得してもよい。また、蓄電装置２０Ａの制御部２１は、パワーコンディショナ１０が取得した蓄電装置２０Ｂの端子間の電圧値を、パワーコンディショナ１０から取得してもよい。
【００３２】
制御部２１は、開閉器２６を閉じて２つの端子２３Ａ及び２３Ｂと蓄電部２２とを接続した状態で、第１の電圧値と通信部２７により受信した第２の電圧値との比較に基づいて、他の機器と自蓄電装置２０との間に電線の誤配線があるか否かを判定する。例えば、制御部２１は、所定の閾値に基づき、第１の電圧値と第２の電圧値との差が所定の閾値の範囲内に収まるか否かで、他の機器と自蓄電装置２０との間に電線の誤配線があるか否かを判定してもよい。制御部２１は、第１の電圧値と第２の電圧値との差が所定の閾値の範囲内に収まる場合、自蓄電装置２０の蓄電部２２の電圧が他の機器の端子間に正しく印加されているため、他の機器と自蓄電装置２０との間に電線の誤配線がないと判定してもよい。一方で、制御部２１は、第１の電圧値と第２の電圧値との差が所定の閾値の範囲内に収まらない場合、他の機器と自蓄電装置２０との間に電線の誤配線があると判定してもよい。
【００３３】
制御部２１は、更に、開閉器２６を開いて２つの端子２３Ａ及び２３Ｂと蓄電部２２とを接続していない状態で、第１の電圧値と第２の電圧値との比較に基づいて、他の機器と自蓄電装置２０との間に電線の誤配線があるか否かを判定してもよい。制御部２１は、上述した開閉器２６を閉じた場合の判定と併せて、本判定を行ってもよい。これにより、制御部２１は、自蓄電装置２０における第１の電圧値を変えた場合に、他の端末における第２の電圧値も同様に変化するか否かに基づいて、他の機器の端子間で計測された電圧値が自蓄電装置２０の蓄電部２２の電圧によるものであると判定してもよい。例えば、制御部２１は、開閉器２６を閉じた状態では第１の電圧値と第２の電圧値とが共に１００Ｖであって、その後、開閉器２６を開いた場合に、どちらの電圧値も０Ｖに変化すると、他の機器と自蓄電装置２０との間に電線の誤配線がないと判定する。一方、制御部２１は、第１の電圧値と第２の電圧値が開閉器２６を閉じた状態では１００Ｖであっても、開閉器２６を開くと第１の電圧値が０Ｖに変化して第２の電圧値が１００Ｖのままであれば、他の機器と自蓄電装置２０との間に電線の誤配線があると判定する。
【００３４】
制御部２１は、通信部２７から、電線の誤配線があるか否かの情報を報知させる指示を含む信号を送信する。これにより、当該信号を受信した他の機器は、電線の誤配線があるか否かの情報を報知する。制御部２１は、当該信号を任意の方法で送信してもよい。制御部２１は、送信対象を指定せず通信線５０に接続された全ての機器に対して信号を送信してもよく、或いはＩＤ等を指定して特定の機器に対して信号を送信してもよい。また、制御部２１は、自発的に他の機器に信号を送信してもよく、或いは他の機器から当該信号の送信要求を受信した場合に当該信号を送信してもよい。
【００３５】
本開示において、前述した制御部２１をはじめとする蓄電装置２０の機能の一部又は全部は、蓄電装置２０を制御する制御装置により提供されてもよい。制御装置は、蓄電装置２０に内蔵されてもよく、或いは蓄電装置２０の外部に別体として設けられてもよい。別体として設けられる場合、制御装置は、例えばホームエネルギーマネジメントシステム（Home Energy Management System：ＨＥＭＳ）、バッテリーマネジメントシステム（Battery Management System：ＢＭＳ）、リモコン、携帯電話、スマートフォン、タブレット端末、又はＰＣ（Personal Computer）等を含む、蓄電装置２０を制御可能な情報処理装置であってもよい。また、制御装置は、前述したパワーコンディショナ１０であってもよい。
【００３６】
（蓄電システムの動作例）
図１、図２、及び図３を参照して、本開示の一実施形態に係る蓄電システム１が実行する、電線の誤配線があるか否かの判定処理の一例を説明する。図２は、設置者により、図１に示す蓄電システム１に含まれる、パワーコンディショナ１０、蓄電装置２０Ａ、２０Ｂ、及び２０Ｃのそれぞれの正極端子（Ｐ）及び負極端子（Ｎ）が正しく接続された状態の概略的な回路図である。図２において、設置者により蓄電装置２０Ａ、２０Ｂ、及び２０Ｃのブレーカ２４が閉じられる。これにより、蓄電システム１が利用可能な状態になる。この状態において、蓄電装置２０Ａは、電線の誤配線があるか否かの判定処理を開始する。ここで蓄電装置２０Ａ、２０Ｂ、及び２０Ｃのそれぞれの測定部が測定した電圧値をＶＡ、ＶＢ、及びＶＣとする。蓄電装置２０Ａ、２０Ｂ、及び２０Ｃの蓄電部２２の規定電圧値は１００Ｖとする。初期状態では、蓄電装置２０Ａ、２０Ｂ、及び２０Ｃの開閉器２６は開かれているものとする。蓄電装置２０Ａは、自蓄電装置２０Ａの測定部２５と、他の蓄電装置２０Ｂ及び２０Ｃとからそれぞれの電圧値ＶＡ、ＶＢ、及びＶＣを取得し、電圧値ＶＡ、ＶＢ、及びＶＣが０Ｖであることを予め判定しておいてもよい。その後、蓄電装置２０Ａは、自蓄電装置２０Ａの開閉器２６を閉じて２つの端子２３Ａ及び２３Ｂと蓄電部２２とを接続させる。蓄電装置２０Ａは、測定部２５により電圧値ＶＡを測定すると、１００Ｖとなる。蓄電装置２０Ａは、通信部２７に蓄電装置２０Ｂの電圧値ＶＢを含む信号を受信させる。電圧値ＶＢの値が１００Ｖの場合、蓄電装置２０Ａは、電圧値ＶＡと電圧値ＶＢとの比較に基づいて、蓄電装置２０Ｂと自蓄電装置２０Ａとの間に電線の誤配線がないと判定する。同様に、蓄電装置２０Ａは、通信部２７に蓄電装置２０Ｃの電圧値ＶＣを含む信号を受信させる。電圧値ＶＣの値も１００Ｖの場合、蓄電装置２０Ａは、電圧値ＶＡと電圧値ＶＣとの比較に基づいて、蓄電装置２０Ｃと自蓄電装置２０Ａとの間に電線の誤配線がないと判定する。これにより、蓄電装置２０Ａは蓄電装置２０Ａ、２０Ｂ、及び２０Ｃが電線の誤配線がなく接続されたと判定する。蓄電装置２０Ａは、電線の誤配線がないことを表示させる指示をパワーコンディショナ１０のリモコンに送信する。設置者はリモコンに表示された情報に基づき、電線の誤配線がなく接続されたことを確認する。
【００３７】
一方で、設置者が誤って、図１における蓄電装置２０Ｂの正極端子と負極端子を、蓄電装置２０Ｃの負極端子と正極端子に交差して接続したとする。その場合の概略的な回路図を図３に示す。図３において、蓄電装置２０Ｃの正極端子と負極端子が他の蓄電装置２０Ａ及び２０Ｂの正極端子と負極端子に対して逆に接続されている。この状態において、設置者は蓄電装置２０Ａ、２０Ｂ、及び２０Ｃのブレーカ２４を閉じる。これにより、蓄電システム１が利用可能な状態になる。蓄電装置２０Ａは、電線の誤配線があるか否かの判定処理を開始する。蓄電装置２０Ａは、自蓄電装置２０Ａの測定部２５と、他の蓄電装置２０Ｂ及び２０Ｃとからそれぞれの電圧値ＶＡ、ＶＢ、及びＶＣを取得し、電圧値ＶＡ、ＶＢ、及びＶＣが０Ｖであることを確認する。その後、蓄電装置２０Ａは、自蓄電装置２０Ａの開閉器２６を閉じて２つの端子２３Ａ及び２３Ｂと蓄電部２２とを接続させる。蓄電装置２０Ａは、測定部２５により電圧値ＶＡを測定すると、１００Ｖとなる。蓄電装置２０Ａは、通信部２７に蓄電装置２０Ｂの電圧値ＶＢを含む信号を受信させる。電圧値ＶＢの値が１００Ｖであるため、蓄電装置２０Ａは、電圧値ＶＡと電圧値ＶＢとの比較に基づいて、蓄電装置２０Ｂと自蓄電装置２０Ａとの間に電線の誤配線がないと判定する。同様に、蓄電装置２０Ａは、通信部２７に蓄電装置２０Ｃの電圧値ＶＣを含む信号を受信させる。電圧値ＶＣの値が−１００Ｖとなるため、蓄電装置２０Ａは、電圧値ＶＡと電圧値ＶＣとの比較に基づいて、蓄電装置２０Ｃと自蓄電装置２０Ａとの間に電線の誤配線があると判定する。蓄電装置２０Ａは、電線の誤配線があることを表示させる指示を、例えば設置者が操作するパワーコンディショナ１０のリモコンに送信する。設置者はリモコンに表示された情報に基づき、電線の誤配線があることを確認する。これにより、設置者は、蓄電システム１の配線を修正することができる。
【００３８】
（蓄電装置の処理例）
図４を参照して、本開示の一実施形態に係る蓄電装置である蓄電装置２０が実行する処理の一例を説明する。図２に示した蓄電装置２０Ａによって実行される処理を示すが、その他の蓄電装置２０においても、それぞれ同様の処理が実行され得る。なお、本処理は、例えば設置者により、蓄電装置２０Ａが他の機器と並列に接続され、蓄電装置２０Ａのブレーカ２４及び他の機器のブレーカが閉じられた状態から開始する例である。
【００３９】
ステップＳ１０１：制御部２１は、開閉器２６を閉じて２つの端子２３Ａ及び２３Ｂと蓄電部２２とを接続する。
【００４０】
ステップＳ１０２：制御部２１は、測定部２５により、端子間の電圧値である第１の電圧値を測定する。
【００４１】
ステップＳ１０３：制御部２１は、他の機器の端子間の電圧値である第２の電圧値を含む信号を受信する。
【００４２】
ステップＳ１０４：制御部２１は、第１の電圧値と第２の電圧値を比較する。
【００４３】
ステップＳ１０５：制御部２１は、他の機器と自蓄電装置２０Ａとの間に電線の誤配線があるか否かを判定する。
【００４４】
（蓄電システムの処理例）
図５を参照して、本開示の一実施形態に係る蓄電システム１が実行する処理の一例を説明する。図１に示すように、蓄電システム１には、パワーコンディショナ１０と、蓄電装置である蓄電装置２０Ａ、２０Ｂ、及び２０Ｃが含まれる。ここで、蓄電装置２０Ａによって実行される処理を示すが、その他の蓄電装置２０において、それぞれ同様の処理が実行されてもよい。なお、本処理は、例えば設置者により、蓄電装置２０Ａが、蓄電装置２０Ｂ及び２０Ｃ等の他の機器と並列に接続され、蓄電装置２０Ａ、２０Ｂ、及び２０Ｃのブレーカ２４が閉じられた状態から開始する例である。本処理は、蓄電装置２０Ａ、２０Ｂ、及び２０Ｃと並列で接続されたパワーコンディショナ１０から、本処理を実行する指示が蓄電装置２０Ａに送信されることにより開始されてもよい。
【００４５】
ステップＳ２０１：蓄電装置２０Ａは、開閉器２６を閉じて２つの端子２３Ａ及び２３Ｂと蓄電部２２とを接続する。
【００４６】
ステップＳ２０２：蓄電装置２０Ａは、測定部２５により、端子間の電圧値である第１の電圧値を測定する。
【００４７】
ステップＳ２０３：蓄電装置２０Ａは、蓄電装置２０Ｂの端子間の電圧値を含む信号の送信要求を蓄電装置２０Ｂに送信する。
【００４８】
ステップＳ２０４：蓄電装置２０Ｂは、蓄電装置２０Ｂの測定部により、蓄電装置２０Ｂの端子間の電圧値を測定する。
【００４９】
ステップＳ２０５：蓄電装置２０Ｂは、蓄電装置２０Ｂの端子間の電圧値を含む信号を蓄電装置２０Ａに送信する。
【００５０】
ステップＳ２０６：蓄電装置２０Ａは、蓄電装置２０Ａの電圧値と蓄電装置２０Ｂの電圧値を比較する。
【００５１】
ステップＳ２０７：蓄電装置２０Ａは、蓄電装置２０Ｂと蓄電装置２０Ａとの間に電線の誤配線があるか否かを判定する。
【００５２】
ステップＳ２０８：蓄電装置２０Ａは、蓄電装置２０Ｃの端子間の電圧値を含む信号の送信要求を蓄電装置２０Ｃに送信する。
【００５３】
ステップＳ２０９：蓄電装置２０Ｃは、蓄電装置２０Ｃの測定部により、蓄電装置２０Ｃの端子間の電圧値を測定する。
【００５４】
ステップＳ２１０：蓄電装置２０Ｃは、蓄電装置２０Ｃの端子間の電圧値を含む信号を蓄電装置２０Ａに送信する。
【００５５】
ステップＳ２１１：蓄電装置２０Ａは、蓄電装置２０Ａの電圧値と蓄電装置２０Ｃの電圧値を比較する。
【００５６】
ステップＳ２１２：蓄電装置２０Ａは、蓄電装置２０Ｃと蓄電装置２０Ａとの間に電線の誤配線があるか否かを判定する。
【００５７】
ステップＳ２１３：蓄電装置２０Ａは、パワーコンディショナ１０に電線の誤配線があるか否かの情報を報知させる指示を含む信号を送信する。これにより、パワーコンディショナ１０は例えばリモコンのディスプレイに電線の誤配線があるか否かの情報を表示させる。これにより、設置者は電線の誤配線があるか否かを確認する。
【００５８】
以前述べたように、本実施形態によれば、蓄電装置は、電線に接続される２つの端子２３Ａ及び２３Ｂと、測定部２５と、２つの端子２３Ａ及び２３Ｂに開閉器２６を介して接続可能に配置された蓄電部２２と、通信部２７と、制御部２１とを備える。測定部２５は、２つの端子間の電圧値である第１の電圧値を測定する。通信部２７は、他の機器の端子間の電圧値である第２の電圧値を含む信号を受信する。制御部２１は、開閉器２６を閉じて２つの端子と蓄電部２２とを接続した状態でそれぞれ測定された第１の電圧値と第２の電圧値との比較に基づいて、他の機器と自身との間に電線の誤配線があるか否かを判定する。かかる構成によれば、蓄電装置は、他の機器と自身との間に電線の誤配線があるか否かを自動で判定することができる。これにより、蓄電装置の誤配線を防止する技術の有用性が向上する。
【００５９】
本実施形態によれば、蓄電装置の通信部２７は、第１の電圧値を含む信号を送信する。かかる構成によれば、蓄電装置は、他の機器に自身の端子間の電圧値である第１の電圧値を送信することができる。当該第１の電圧値を受信した他の蓄電装置は、電線の誤配線があるか否かを自動で判定することができる。これにより、蓄電装置の誤配線を防止する技術の有用性が向上する。
【００６０】
本実施形態によれば、蓄電装置の制御部２１は、開閉器２６を開いて２つの端子２３Ａ及び２３Ｂと蓄電部２２とを接続していない状態でそれぞれ測定された第１の電圧値と第２の電圧値との比較に基づいて、他の機器と自身との間に電線の誤配線があるか否かを判定する。かかる構成によれば、蓄電装置は、前述の開閉器２６を閉じた状態で実施された電線の誤配線があるか否かの判定と併せて、他の機器に印加された電圧が自身によるものであるか否かを判定することができる。これにより、蓄電装置の誤配線を防止する技術の有用性が向上する。
【００６１】
本実施形態によれば、通信部２７は、電線の誤配線があるか否かの情報を報知させる指示を含む信号を送信する。かかる構成によれば、当該信号を受信した他の機器において、電線の誤配線があるか否かの情報が報知され得る。これにより、他の機器を操作している設置者も電線の誤配線があるか否かの情報を確認することができ、蓄電装置の誤配線を防止する技術の有用性が向上する。
【００６２】
前述の実施形態は代表的な例として説明したが、本開示の趣旨及び範囲内で、多くの変更及び置換ができることは当業者に明らかである。従って、本開示は、前述の実施形態によって制限するものと解するべきではなく、特許請求の範囲から逸脱することなく、種々の変形又は変更が可能である。例えば、各手段、又は各ステップ等に含まれる機能等は論理的に矛盾しないように再配置可能であり、複数の手段又はステップ等を１つに組み合わせたり、或いは分割したりすることが可能である。
【００６３】
例えば、前述した実施形態において、蓄電システムに含まれる複数の蓄電装置のうち１つの蓄電装置が、他の蓄電装置と自身との間に電線の誤配線があるか否かを判定する例を説明したが、この限りではない。蓄電システムに含まれる複数の蓄電装置のそれぞれが、他の蓄電装置と自身との間に電線の誤配線があるか否かを判定していってもよい。或いは、蓄電システムに含まれる複数の蓄電装置のそれぞれが、前述したＩＤの昇順等により順番付けをされ、順番付けに基づいて次の順番である他の蓄電装置と自身との間に電線の誤配線があるか否かを判定の主体を変えて順次判定してもよい。
【００６４】
例えば、前述した実施形態において、蓄電装置は、外部に電力を供給できる任意の機器であってもよい。蓄電装置は、例えば、太陽電池、風力発電装置、水力発電装置及び燃料電池等を含む任意の電源装置であってもよい。かかる場合、前述した蓄電システムは電源システムであってもよく、蓄電部は発電して電力を供給する電源部であってもよい。
【符号の説明】
【００６５】
１  蓄電システム
１０  パワーコンディショナ
２０  蓄電装置
２１  制御部
２２  蓄電部
２３  端子
２４  ブレーカ
２５  測定部
２６  開閉器
２７  通信部
２８  記憶部
２９  報知部
３０  入力部
４０  電線
５０  通信線
６０  電力系統
７０  負荷
【図１】
0006911195.tif 000002
【図２】
0006911195.tif 000003
【図３】
0006911195.tif 000004
【図４】
0006911195.tif 000005
【図５】
0006911195.tif 000006